(57)【特許請求の範囲】
【請求項１】
携帯用機器の裏面及び４側面全体を被覆する着脱自在の携帯用機器カバーにおいて、該裏面に小指、薬指及び中指の３本の指が各々個別に挿入できる挿入口側の開口部を広く形成した複数の指挿し部を、４側面の内の長手方向となる一側面の下方から他の長手方向側面の上方側に向けて間隔を有して個別に設け、且つ該複数の指挿し部の指挿入口側となる長手方向一側面の上方部に人差し指が挿入できる挿入口側の開口部を広く形成した指挿し部を設け、上記指挿し部の開口部の広さは、その立ち上がり方向となる裏面及び側面から離れる方向を高くすることで指挿し部内での指の移動の自由度を増し、更に、指の先端腹側に保持力が付与できる形状としたことを特徴とする携帯用機器カバー。
【請求項２】
３本の指の指挿し部は、４側面の内の短手方向となる下側面の側縁ラインに対して１５度〜４０度の範囲の斜め上方向の傾斜角度で形成してなることを特徴とする請求項１記載の携帯用機器カバー。
【請求項３】
指挿し部の先端を開口させたことを特徴とする請求項１又は２記載の携帯用機器カバー。
【発明の詳細な説明】
【技術分野】
【０００１】
本発明は、携帯電話及びスマートフォンやタブレット端末のようなパソコン機能を持った機器等の表面側に各種操作機能を有する携帯用機器（以下、それらを総称して携帯用機器という）等において、片手使用でも落とすことなく安定した状態で機器表面の操作を可能とした携帯用機器カバーに係るものである。
【背景技術】
【０００２】
比較的横幅が短寸法の携帯用機器の場合、片手で画面等を操作する使用形態も多く、手を滑らすとか何等かの衝撃により落下損傷させてしまうおそれが多分にあった。その損傷を防ぐため携帯用機器本体を吊紐等の紐状のもので身体や鞄等と連結するとか、両手を使用した丁寧な操作等により落下防止を図っている。
【０００３】
落下することで大きな損傷が発生するおそれのある精密機器となる携帯用機器であるにもかかわらず、上記のような吊り下げ支持する等による落下防止対応しかなされておらず、その支持手段は邪魔であったり、連結することをうっかり忘れてしまったり、紐がはずれたり切れたりすることも多かった。また、一方の手が吊り革を支持する等して使用できずやむなく片手のみで対応せざるを得ない場合も多かった。
【０００４】
他方、下記する特許文献１のように、落下したときの衝撃を緩和する目的で、弾性体で成形した枠状の保護カバーを端末機器の外縁部を覆うように設けたものが知られているが、これは落下することを前提とするもので、落下防止に係る技術ではなかった。
【０００５】
また、下記する特許文献２のように、ブックカバーの外表部に指を挿入するポケットを設けて本を保持する技術が公知となっているが、本発明の対象となる携帯用機器のような精密機器で、且つそれらの画面等を親指で操作する作業を必要とするものではないので、本を読む者は手により本の重量を支えることができればよく、該ポケットは指を固定するだけの技術であり、保持する指以外の他の指で表面側を操作するのに必要な該ポケットのカバーへの取り付け位置の特定及び該ポケットの形状の特定等を特に考慮する必要はなく、本の頁めくり等は他方の手側の指で行えばよかった。また、本は指全体或いは手のひら全面で支持することができればよく、本を指頭側で強く支える必要はなく、本発明の携帯用機器の操作を伴なう片手での支持手段として指の腹側と指の背側とをポケットの下壁と上壁への押圧力で支持する作用は必要なかった。
【先行技術文献】
【特許文献】
【０００６】
【特許文献１】特開２０１１−２４８４３７号公報
【特許文献２】実用新案登録第３１５１１０６号公報
【発明の概要】
【発明が解決しようとする課題】
【０００７】
本発明の携帯用機器カバーは、上記従来の欠点に鑑み、携帯用機器を保持するためにその裏面側及び側面側を被覆し、且つ裏面側に指を挿入できる指挿し部を設け、該指挿し部の特定の形状により挿入した指の背側を該指挿し部の内側上壁に強く押し付けることで指の腹側を指挿し部の下壁に対して強く押圧することができるようにしたものである。
【課題を解決するための手段】
【０００８】
本発明は、携帯用機器の裏面及び４側面全体を被覆する着脱自在の携帯用機器カバーにおいて、該裏面に小指、薬指及び中指の３本の指が各々個別に挿入できる挿入口側の開口部を広く形成した複数の指挿し部を、４側面の内の長手方向となる一側面の下方から他の長手方向側面の上方側に向けて間隔を有して個別に設け、且つ該複数の指挿し部の指挿入口側となる長手方向一側面の上方部に人差し指が挿入できる挿入口側の開口部を広く形成した指挿し部を設け、上記指挿し部の開口部の広さは、その立ち上がり方向となる裏面及び側面から離れる方向を高くすることで指挿し部内での指の移動の自由度を増し、更に、指の先端腹側に保持力が付与できる形状とした携帯用機器カバーを特徴とする。
【００１０】
また、上記３本の指の指挿し部は、４側面の内の短手方向となる下側面の側縁ラインに対して１５度〜４０度の範囲の斜め上方向の傾斜角度で形成してなる携帯用機器カバーを特徴とする。
【００１２】
更に、上記指挿し部の先端を開口させた携帯用機器カバーを特徴とする。
【発明の効果】
【００１３】
本発明の携帯用機器カバーは、携帯用機器の汚れや傷の防止を図ると同時に、その裏面及び側面に４箇所の指挿し部を形成することで本体を片手で保持しながら落下することなく安定した状態で表面側を操作できることを可能とした。
【００１４】
該指挿し部の挿入口側を裏面及び側面から離れる方向を高く形成することで各人の指の太さや長さの相違に対応でき、且つ携帯用機器の操作時における上下左右位置で生じる表面側からの押し下げ力を指の腹側で得られる押し上げ力により対応できることを可能とした。
【図面の簡単な説明】
【００１５】
【図１】（ａ）本発明の携帯用機器カバーの斜視図、（ｂ）携帯用機器を本発明の携帯用機器カバーにより覆った状態を示す断面図。
【図２】本発明の携帯用機器カバーの裏面側平面図。
【図３】（ａ）指挿し部の断面図、（ｂ）指挿し部に指を入れて携帯用機器を保持している状態を示す断面図。
【図４】本発明の携帯用機器カバーの他の実施例の裏面側平面図。
【図５】本発明の携帯用機器カバーの他の実施例の裏面側平面図。
【発明を実施するための形態】
【００１６】
以下、図面を参照して本発明の実施の形態を詳細に説明する。
【実施例１】
【００１７】
図１（ａ）は、本発明の携帯用機器カバーの斜視図を示している。該携帯用機器カバー１は、携帯用機器Ａの裏面側及び側面を覆うことで本体に一体的に取着されるもので、裏面２及び４側面３、４、５、６よりなり、必要に応じて４側面の上端縁部から表面側へ突出した鍔部７、８、９、１０を設け、該裏面２には、図２に示すように、少なくとも３箇所の指挿し部１１、１２、１３を設けている。
【００１８】
携帯用機器カバー１は、少なくとも携帯用機器Ａの裏面全体及び側面全体をカバーすることができるので、傷付きやすい箇所である携帯用機器Ａの裏面及び側面の損傷防止及び汚れ防止に有効である。
【００１９】
また、上記４側面３、４、５、６を可撓性の有る材料で形成することにより、図１（ｂ）に示すように、携帯用機器Ａに密着取着させることができ、脱落することはないが、鍔部７、８、９、１０を設けることにより脱落防止のための更に良好な係止手段とすることができる。上記鍔部７、８、９、１０は全体にわたって４側面３、４、５、６の端縁部から突出形成してもよいが、隅部のみ等から部分的に突出形成してもよい。
【００２０】
該指挿し部１１、１２、１３は、裏面２において、一側面４となる左右いずれかの長手方向側面の下方側から他側面となる長手方向側面６の上方側へ向けて各々個別に設け、且つ相互間に小間隔を有するようにやや放射状に形成している。これは手で物を保持するときの手を広げた状態の指間隔と同様の形状である。比較的軽いが重量のある携帯用機器Ａを片手で保持し、且つ表面側のディスプレイ等を親指や人差し指にて操作するときの該ディスプレイ面となる表面から裏面側へかかる上下左右のあらゆる箇所からの押し下げ力に対抗することができるように配置している。
【００２１】
該指挿し部１１、１２、１３の配置は、それらに各々挿入された指により携帯用機器Ａが安定的に保持できるように左右いずれかの長手方向一側面４の下方側を基部として裏面２の中央部方向に向ける位置とし、裏面２側へかかる押し下げ力に対抗できるように該指挿し部１１、１２、１３内の指が上下左右方向に移動できる自由度のある状態で保持できるようにしている。
【００２２】
上記した安定的に保持できるように、やや放射状に離隔形成した各々の指挿し部１１、１２、１３の傾斜角度θは、下側面３の下縁ラインに対して１５度〜４０度の範囲とし、上方位置の指挿し部ほどその傾斜角度をやや大きめとしている。
【００２３】
図２は、小指用指挿し部１１、薬指用指挿し部１２、中指用指挿し部１３の形成位置の一実施例を示している。
【００２４】
上記したように、該指挿し部１１、１２、１３は、該携帯用機器Ａが落下することを防止するだけでなく、親指や人差し指での表面側のディスプレイ面の操作時にかかる上下左右の様々な位置からの押し下げ力に対抗するために挿入した指の腹側Ｂに十分なる保持力が得られる形状としている。
【００２５】
図３（ａ）、（ｂ）に示すように、該指挿し部１１、１２、１３の挿入口１４は広く形成し、その広さは立ち上がりＨを高くすることで形成している。各々の指を挿入して指の背側Ｃを該指挿し部１１、１２、１３の内側上壁に接触させたとき、裏面２の表面との間に間隔Ｓが生じるように形成している。図３（ａ）、（ｂ）では該指挿し部１１、１２、１３の上壁は直線状としているが、指の腹側Ｂに力を入れたとき指の背側Ｃは湾曲状となるので、その背側Ｃの湾曲に合うように内側上壁を湾曲面の形成可能な材料を選択することができる。
【００２６】
上記間隔Ｓの余裕により、指の背側Ｃを指挿し部１１、１２、１３の内側上壁に接触させて力を入れることで主として指頭となる末節の腹側Ｂで裏面２を強く押し付ける力を付与することができることになり、携帯用機器カバー１は、携帯用機器Ａの脱落防止だけでなく表面側からの押し下げ力にも十分に対応できることになる。
【００２７】
また、間隔Ｓの余裕により表面側における親指や人差し指で操作する位置が上下左右方向へ移動しても、各指挿し部１１、１２、１３内に挿入した小指、薬指及び中指がそれら上下左右方向への移動に少なくともその余裕分は追随できることを可能としている。
【００２８】
更に、指挿し部１１、１２、１３の先端部１５は、小指、薬指及び中指の指頭を拘束するために狭隘状態に形成しておくことができる。また、指の太さや長さ等には個人差が有るので、先端部１５を開口部としておくことにより、指の該開口部からの突出状態を変化させることにより個人差に対応できる指の拘束力を確保することを可能としている。更に、指挿し部１１、１２、１３全体、特に先端部１５を可撓性を有する材料で形成しておくことにより個人差対応をより確実に行うことができる。
【００２９】
なお、上記実施例１では左手を使用することを想定して記載しているが、右手も可能で、その場合は指挿し部の挿入口と先端部及びその傾斜角度等は図２に示すものと左右対称の位置となる。
【実施例２】
【００３０】
図４は、携帯用機器カバー１６の他の実施例で、裏面１７に小指、薬指及び中指を各々挿入できる実施例１と同様の指挿し部１８、１９、２０を形成しているが、該指挿し部１８、１９、２０はそれらの小指、薬指及び中指の一部の位置の拘束を主とした挿入長さが短長となる指輪状のものとした実施例である。
【００３１】
実施例１のものと比較して指挿し部１８、１９、２０へ挿入した小指、薬指及び中指の拘束力は主として指の付け根と第二関節間の基節部或いは第二関節と第一関節間の中節部間となるので、指の上下左右方向への移動の自由度はより一層大きくなるものである。
【００３２】
また、個人差の有る指の長さの相違に対しても十分に対応できることを可能としたものである。
【実施例３】
【００３３】
図５は、携帯用機器カバー２１の他の実施例で、裏面２２に小指、薬指及び中指を各々挿入できる実施例１、２と同様の形状の指挿し部２３、２４、２５を形成し、更に、各々の指挿入口側となる側面２６の上端部に人差し指用の指挿し部２７を設けている。
【００３４】
指挿し部２７は、下方部を挿入口２８、上方部を先端部２９とし、上記実施例１の各指挿し部の形状と同様、該指挿し部２７も挿入口側を広くし、指の上下左右への移動が容易となる形状としている。親指だけの操作時において、人差し指の指頭となる末節の腹側Ｂが携帯用機器Ａの側部から隅部にかけて上方側より押える位置に配置できるように形成しているので、携帯用機器Ａをより安定的に保持できるようにしたものである。他の形状等は、実施例１、２と同様である。
【００３５】
また、図５では指挿し部２３、２４、２５、２７の形状を実施例１と同様の図としているが、実施例２の指挿し部の形状を採用することができることはいうまでもない。
【符号の説明】
【００３６】
１、１６、２１                                                携帯用機器カバー
２、１７  、２２                                              裏面
３、４、５、６、２６                                          側面
７、８、９、１０                                              鍔部
１１、１２、１３、１８、１９、２０、２３、２４、２５、２７    指挿し部
１４、２８                                                    挿入口
１５、２９                                                    先端部
【要約】
【課題】本発明は、携帯用機器カバーの裏面側に指を挿入できる少なくとも３箇所の指挿し部を設け、該指挿し部に各指を挿入することで携帯用機器の片手での操作でも落下することなく安定的に行うことを可能とした携帯用機器カバーに関するものである。
【解決手段】裏面及び４側面からなる着脱自在の携帯用機器カバーにおいて、該裏面の長手方向の左右のいずれか一側面に親指を除く少なくとも３本の指が挿入できる挿入口側を広く形成した指挿し部を、長手方向一側面の下方から他側面の上方側に向けて間隔を有して各々個別に設けたことを特徴とする携帯用機器カバー。
【選択図】図２【図１】
0005416856.tif 000002
【図２】
0005416856.tif 000003
【図３】
0005416856.tif 000004
【図４】
0005416856.tif 000005
【図５】
0005416856.tif 000006